(57)【要約】【課題】不要なサラウンド信号が第１のゾーンで再生されることを防止し、メインスピーカのみが設置された第２のゾーンで十分なマルチチャンネル音響再生効果を得る。【解決手段】制御部８は、Ａ系統のメインスピーカとサラウンドスピーカが設置された第１ゾーンでＢ系統のメインスピーカを使用する第１のモードと、Ｂ系統のメインスピーカを第２のゾーンで単独使用する第２のモードのうちいずれか一方の選択が可能なモード設定手段となる。ＤＳＰ３ａは、Ａ系統のスピーカ出力端子への出力がオフで、Ｂ系統のスピーカ出力端子への出力がオン、かつ第２のモードが選択された場合、サラウンドスピーカへのサラウンド信号の供給を停止し、メイン信号Ｌ，Ｒに対して効果音を付加する。【選択図】　　　　図１
2004056418.tif 000002
【特許請求の範囲】
【請求項１】
聴取者の前方から再生すべきメイン信号をメインスピーカに供給し、聴取者に包囲感を与えるサラウンド信号をサラウンドスピーカに供給する音響再生装置において、
前記サラウンド信号を出力するデジタルシグナルプロセッサ（ＤＳＰ）と、
前記メイン信号を増幅するパワーアンプと、
前記パワーアンプから第１のスピーカ出力端子への出力と第２のスピーカ出力端子への出力とをそれぞれ独立にオン／オフ制御する切替スイッチと、
前記第１のスピーカ出力端子に接続されたスピーカと前記第２のスピーカ出力端子に接続されたスピーカとを第１のゾーンに配置して使用する第１のモードと、前記第１のスピーカ出力端子に接続されたスピーカを第１のゾーンに配置し前記第２のスピーカ出力端子に接続されたスピーカを第２のゾーンに配置して使用する第２のモードの２つのモードのうちいずれか一方の選択が可能なモード設定手段とを有し、
前記ＤＳＰは、前記第１のスピーカ出力端子への出力がオフで、前記第２のスピーカ出力端子への出力がオン、かつ前記第２のモードが選択された場合、前記サラウンド信号の出力を停止することを特徴とする音響再生装置。
【請求項２】
請求項１記載の音響再生装置において、
前記ＤＳＰは、前記第１のスピーカ出力端子への出力がオフで、前記第２のスピーカ出力端子への出力がオン、かつ前記第２のモードが選択された場合、前記メイン信号に対して効果音を付加することを特徴とする音響再生装置。
【発明の詳細な説明】
【０００１】
【発明の属する技術分野】
本発明は、マルチチャンネル音響再生機能を有する音響再生装置に係り、特に２系統のスピーカ出力端子への出力を独立にオン／オフ制御可能な音響再生装置に関するものである。
【０００２】
【従来の技術】
近年、マルチチャンネル音響再生システムとして、ドルビー（登録商標）デジタルやＤＴＳ（登録商標）（Ｄｉｇｉｔａｌ　Ｔｈｅａｔｅｒ　Ｓｙｓｔｅｍｓ　）、ＡＡＣ（Ａｄｖａｎｃｅｄ　Ａｕｄｉｏ　Ｃｏｄｉｎｇ　）などの音声圧縮技術を使ったデジタルサラウンドシステムが普及している。
【０００３】
一方、最近では、１台のアンプを用いて複数の部屋に音声信号を配信するマルチゾーン音響再生システムも普及し始めている。従来、音響再生装置を用いてマルチゾーン音響再生機能を実現する場合には、第１のゾーン（区域）にメインスピーカのＡ系統を配置し、第２のゾーンにメインスピーカのＢ系統を配置して、音響再生装置のメインスピーカ切替スイッチでＡ系統のメインスピーカへの出力とＢ系統のメインスピーカへの出力とを独立にオン／オフ制御していた。
【０００４】
図１０は従来の音響再生装置の構成を示すブロック図である。２チャンネルのアナログ音声信号ＡＬＩＮ，ＡＲＩＮが入力端子１−１，１−２に入力されると、Ａ／Ｄ変換器２はアナログ音声信号ＡＬＩＮ，ＡＲＩＮをデジタル音声信号に変換し、変換後のデジタル音声信号はデジタルシグナルプロセッサ（以下、ＤＳＰとする）３に入力され、必要に応じて音場処理が施される。一方、ドルビーデジタルやＤＴＳまたはＡＡＣで圧縮符号化されたデジタル音声信号ＤＩＮが入力端子１−３に入力されると、ＤＳＰ３は、内部のデコーダ（不図示）により圧縮符号化デジタル音声信号ＤＩＮを伸張復号化して、メイン信号Ｌ（左），Ｒ（右）、リア信号ＲＬ（後左），ＲＲ（後右）、センター信号Ｃ（中央）、サブウーハ信号ＬＦＥ（低周波）の各アナログ音声信号を生成する。
【０００５】
ここで、ＤＳＰ３がオフ（又はダウンミックス）（２チャンネル音響再生）に設定されている場合には、メイン信号Ｌ，Ｒが出力され、ＤＳＰ３がオン（マルチチャンネル音響再生）に設定されている場合には、メイン信号Ｌ，Ｒ、リア信号ＲＬ，ＲＲ、センター信号Ｃ、サブウーハ信号ＬＦＥが出力される。
【０００６】
第１のゾーンで音響再生を行う場合には、メインスピーカ切替スイッチ６−１，６−２をオンにする。メイン信号Ｌ，Ｒは、それぞれパワーアンプ４−１，４−２により増幅され、メインスピーカ切替スイッチ６−１，６−２を通ってスピーカ出力端子５−１，５−２から出力される。また、マルチチャンネル音響再生を行う場合、ＤＳＰ３から出力されたリア信号ＲＬ，ＲＲ、センター信号Ｃは、それぞれパワーアンプ４−３，４−４，４−５により増幅されて、スピーカ出力端子５−３，５−４，５−５から出力され、ＤＳＰ３から出力されたサブウーハ信号ＬＦＥは、サブウーハ出力端子７から出力される。一方、第２のゾーンに音声信号を配信する場合には、メインスピーカ切替スイッチ６−３，６−４をオンにする。この場合、ＤＳＰ３から出力されたメイン信号Ｌ，Ｒは、それぞれパワーアンプ４−１，４−２により増幅され、メインスピーカ切替スイッチ６−３，６−４を通ってスピーカ出力端子５−６，５−７から出力される。
【０００７】
図１１は、マルチチャンネル音響再生が可能な第１のゾーンＺｏｎｅＡと２チャンネル音響再生が可能な第２のゾーンＺｏｎｅＢのスピーカ配置を示す平面図である。図１１において、Ｕは試聴位置を示す。第１のゾーンＺｏｎｅＡでマルチチャンネル音響再生を行う場合、スピーカ出力端子５−１，５−２，５−３，５−４，５−５から出力されたメイン信号Ｌ，Ｒ、リア信号ＲＬ，ＲＲ、センター信号Ｃは、それぞれメインスピーカＳＰ−ＡＬ，ＳＰ−ＡＲ、リアスピーカＳＰ−ＲＬ，ＳＰ−ＲＲ、センタースピーカＳＰ−Ｃに供給される。また、サブウーハ出力端子７から出力されたサブウーハ信号ＬＦＥは、アンプを内蔵したサブウーハＳＰ−ＳＷに供給される。一方、第２のゾーンＺｏｎｅＢに２チャンネルの音声信号を配信する場合には、スピーカ出力端子５−６，５−７から出力されたメイン信号Ｌ，ＲがそれぞれスピーカＳＰ−ＢＬ，ＳＰ−ＢＲに供給される。
【０００８】
【発明が解決しようとする課題】
以上のように従来の音響再生装置では、Ａ系統のメインスピーカＳＰ−ＡＬ，ＳＰ−ＡＲへの出力とＢ系統のメインスピーカＳＰ−ＢＬ，ＳＰ−ＢＲへの出力とを独立にオン／オフ制御することができるが、Ｂ系統のスピーカＳＰ−ＢＬ，ＳＰ−ＢＲが第１のゾーンＺｏｎｅＡにあるのか第２のゾーンＺｏｎｅＢにあるのかは考慮されていなかった。そのため、Ａ系統のスピーカＳＰ−ＡＬ，ＳＰ−ＡＲが第１のゾーンＺｏｎｅＡに配置され、Ｂ系統のスピーカＳＰ−ＢＬ，ＳＰ−ＢＲが第２のゾーンＺｏｎｅＢに配置された状態で、第１のゾーンＺｏｎｅＡでＤＳＰ３がオンされマルチチャンネル音響再生が行われているとき、Ａ系統のスピーカＳＰ−ＡＬ，ＳＰ−ＡＲへの出力がオフになると、サラウンド信号のみが第１のゾーンＺｏｎｅＡで再生されるという問題点があった。また、従来の音響再生装置では、Ｂ系統のスピーカＳＰ−ＢＬ，ＳＰ−ＢＲを第２のゾーンＺｏｎｅＢに配置した場合、第２のゾーンＺｏｎｅＢでサラウンド信号を再生することができず、第２のゾーンＺｏｎｅＢでマルチチャンネル音響再生効果を得ることができないという問題点があった。
【０００９】
本発明は、上記課題を解決するためになされたもので、２系統のスピーカ出力端子への出力を独立にオン／オフ制御可能な音響再生装置において、２系統のメインスピーカが異なるゾーンに配置され、第１のゾーンのメインスピーカと接続された第１のスピーカ出力端子への出力がオフで、第２のゾーンのメインスピーカと接続された第２のスピーカ出力端子への出力がオンの場合に、不要なサラウンド信号が第１のゾーンで再生されることを防止することを目的とする。
また、本発明は、メインスピーカのみが設置された第２のゾーンで十分なマルチチャンネル音響再生効果を得ることを目的とする。
【００１０】
【課題を解決するための手段】
本発明は、聴取者の前方から再生すべきメイン信号をメインスピーカに供給し、聴取者に包囲感を与えるサラウンド信号をサラウンドスピーカに供給する音響再生装置であって、前記サラウンド信号を出力するデジタルシグナルプロセッサ（ＤＳＰ）と、前記メイン信号を増幅するパワーアンプと、前記パワーアンプから第１（Ａ系統）のスピーカ出力端子への出力と第２（Ｂ系統）のスピーカ出力端子への出力とをそれぞれ独立にオン／オフ制御する切替スイッチと、前記第１のスピーカ出力端子に接続されたスピーカと前記第２のスピーカ出力端子に接続されたスピーカとを第１のゾーンに配置して使用する第１のモードと、前記第１のスピーカ出力端子に接続されたスピーカを第１のゾーンに配置し前記第２のスピーカ出力端子に接続されたスピーカを第２のゾーンに配置して使用する第２のモードの２つのモードのうちいずれか一方の選択が可能なモード設定手段とを有し、前記ＤＳＰは、前記第１のスピーカ出力端子への出力がオフで、前記第２のスピーカ出力端子への出力がオン、かつ前記第２のモードが選択された場合、前記サラウンド信号の出力を停止するものである。
【００１１】
また、本発明の音響再生装置の１構成例において、前記ＤＳＰは、前記第１のスピーカ出力端子への出力がオフで、前記第２のスピーカ出力端子への出力がオン、かつ前記第２のモードが選択された場合、前記メイン信号に対して効果音を付加するものである。
【００１２】
【発明の実施の形態】
［第１の実施の形態］
以下、本発明の実施の形態について図面を参照して詳細に説明する。図１は本発明の第１の実施の形態となる音響再生装置の構成を示すブロック図である。本実施の形態の音響再生装置は、入力端子１（１−１，１−２，１−３）、Ａ／Ｄ変換器２、ＤＳＰ３ａ、パワーアンプ４（４−１，４−２，４−３，４−４，４−５）、スピーカ出力端子５（５−１，５−２，５−３，５−４，５−５，５−６，５−７）、メインスピーカ切替スイッチ６（６−１，６−２，６−３，６−４）、サブウーハ出力端子７および制御部８を有する。以下、メインスピーカ切替スイッチ６−１，６−２をｓｐＡ、メインスピーカ切替スイッチ６−３，６−４をｓｐＢとする。制御部８は、Ｂ系統のメインスピーカの使用場所を設定するモード設定手段となる。また、ＤＳＰ３ａは、Ａ系統のメインスピーカへの出力がオフ（ｓｐＡがオフ）で、Ｂ系統のメインスピーカへの出力がオン（ｓｐＢがオン）、かつＢ系統のメインスピーカの配置場所として後述する「ＺｏｎｅＢ」が選択された場合、サラウンド信号の供給を停止する。
【００１３】
本実施の形態は、マルチチャンネル音響再生の代表的な例である５．１チャンネル音響再生を行う装置であり、２チャンネルのアナログ音声信号ＡＬＩＮ，ＡＲＩＮが入力端子１−１，１−２に入力されると、Ａ／Ｄ変換器２はアナログ音声信号ＡＬＩＮ，ＡＲＩＮをデジタル音声信号に変換し、変換後のデジタル音声信号はＤＳＰ３ａに入力され、必要に応じて音場処理が施されるが、本発明が対象とするマルチチャンネル音声入力ではないため、説明を省略する。一方、ドルビーデジタルやＤＴＳまたはＡＡＣで圧縮符号化されたデジタル音声信号ＤＩＮが入力端子１−３に入力されると、ＤＳＰ３ａは、内部のデコーダ（不図示）により圧縮符号化デジタル音声信号ＤＩＮを伸張復号化して、メイン信号Ｌ，Ｒ、リア信号ＲＬ，ＲＲ、センター信号Ｃ、サブウーハ信号ＬＦＥの各アナログ音声信号を生成する。ここで、ＤＳＰ３ａがオフ（又はダウンミックス）に設定されている場合には、メイン信号Ｌ，Ｒが出力され、ＤＳＰ３ａがオン（マルチチャンネル音響再生）に設定されている場合には、メイン信号Ｌ，Ｒ、リア信号ＲＬ，ＲＲ、センター信号Ｃ、サブウーハ信号ＬＦＥが出力される。
【００１４】
第１のゾーンＺｏｎｅＡと第２のゾーンＺｏｎｅＢのスピーカ配置は図１１に示したとおりである。スピーカ出力端子５−１，５−２，５−３，５−４，５−５は、第１のゾーンＺｏｎｅＡのメインスピーカＳＰ−ＡＬ，ＳＰ−ＡＲ、リアスピーカＳＰ−ＲＬ，ＳＰ−ＲＲ、センタースピーカＳＰ−Ｃと接続され、サブウーハ出力端子７は、アンプを内蔵したサブウーハＳＰ−ＳＷと接続されている。また、スピーカ出力端子５−６，５−７は、第２のゾーンＺｏｎｅＢのメインスピーカＳＰ−ＢＬ，ＳＰ−ＢＲと接続されている。
【００１５】
Ｂ系統のメインスピーカの配置場所には、「ＺｏｎｅＡ」と「ＺｏｎｅＢ」が考えられている。ユーザ（聴取者）は、図１１のように第２のゾーンＺｏｎｅＢにＢ系統のメインスピーカＳＰ−ＢＬ，ＳＰ−ＢＲを設置する場合、音響再生装置を操作して、Ｂ系統のメインスピーカの使用モードを「ＺｏｎｅＢ」にする。このとき、音響再生装置の制御部８は、モード切替信号ＭＳＥＬを有効にする。また、Ｂ系統のメインスピーカＳＰ−ＢＬ，ＳＰ−ＢＲを第１のゾーンＺｏｎｅＡに設置して、Ａ系統のメインスピーカＳＰ−ＡＬ，ＳＰ−ＡＲとの聞き比べ等をする場合には、Ｂ系統のメインスピーカの使用モードを「ＭＡＩＮ」にする。このとき、制御部８は、モード切替信号ＭＳＥＬを無効にする。
【００１６】
以下の説明では、Ａ系統のメインスピーカＳＰ−ＡＬ，ＳＰ−ＡＲが第１のゾーンＺｏｎｅＡに配置され、Ｂ系統のメインスピーカＳＰ−ＢＬ，ＳＰ−ＢＲが第２のゾーンＺｏｎｅＢに配置され、ＤＳＰ３ａがオンに設定されていることを前提として説明する。この場合には、ｓｐＡがオン、ｓｐＢがオンの場合と、ｓｐＡがオン、ｓｐＢがオフの場合と、ｓｐＡがオフ、ｓｐＢがオンの場合と、ｓｐＡがオフ、ｓｐＢがオフの場合の４つの状態が考えられる。
【００１７】
［ｓｐＡがオン、ｓｐＢがオフの場合］
ユーザは、第１のゾーンＺｏｎｅＡでＡ系統のメインスピーカを用いて音響再生を行う場合、音響再生装置のメインスピーカ選択ボタン（不図示）の「Ａ」を押す。図２はメインスピーカを切り替える場合の音響再生装置の動作を示すフローチャート図である。制御部８は、メインスピーカ選択ボタンの「Ａ」が押下され、メインスピーカ選択ボタンの「Ｂ」が押下されていない場合（図２ステップＳ１においてＮＯ、ステップＳ２においてＹＥＳ）、Ａ系統のメインスピーカ選択信号ＳＳＥＬＡを有効、Ｂ系統のメインスピーカ選択信号ＳＳＥＬＢを無効にする（ステップＳ３）。
【００１８】
Ａ系統のメインスピーカ選択信号ＳＳＥＬＡが有効の場合、Ａ系統のメインスピーカ切替スイッチｓｐＡはオンとなり、Ｂ系統のメインスピーカ選択信号ＳＳＥＬＢが無効の場合、Ｂ系統のメインスピーカ切替スイッチｓｐＢはオフとなる（ステップＳ４）。また、ＤＳＰ３ａは、メイン信号Ｌ，Ｒ、リア信号ＲＬ，ＲＲ、センター信号Ｃ、サブウーハ信号ＬＦＥを出力する（ステップＳ５）。ＤＳＰ３ａから出力されたメイン信号Ｌ，Ｒ、リア信号ＲＬ，ＲＲ、センター信号Ｃは、それぞれパワーアンプ４−１，４−２，４−３，４−４，４−５により増幅され、スピーカ出力端子５−１，５−２，５−３，５−４，５−５から出力される。また、サブウーハ出力端子７から出力されたサブウーハ信号ＬＦＥは、アンプを内蔵したサブウーハＳＰ−ＳＷに供給される。こうして、第１のゾーンＺｏｎｅＡで５．１チャンネル音響再生が行われる。
【００１９】
［ｓｐＡがオフ、ｓｐＢがオンの場合］
一方、第２のゾーンＺｏｎｅＢで音響再生を行う場合、ユーザは、音響再生装置のメインスピーカ選択ボタンの「Ｂ」を押し、メインスピーカ選択ボタンの「Ａ」を押下しない。制御部８は、メインスピーカ選択ボタンの「Ｂ」が押下され、メインスピーカ選択ボタンの「Ａ」が押下されていない場合（ステップＳ１においてＹＥＳ、ステップＳ６においてＮＯ）、Ａ系統のメインスピーカ選択信号ＳＳＥＬＡを無効、Ｂ系統のメインスピーカ選択信号ＳＳＥＬＢを有効にする（ステップＳ７）。Ａ系統のメインスピーカ選択信号ＳＳＥＬＡが無効の場合、Ａ系統のメインスピーカ切替スイッチｓｐＡはオフとなり、Ｂ系統のメインスピーカ選択信号ＳＳＥＬＢが有効の場合、Ｂ系統のメインスピーカ切替スイッチｓｐＢはオンとなる（ステップＳ８）。
【００２０】
一方、ＤＳＰ３ａは、Ａ系統のメインスピーカ選択信号ＳＳＥＬＡが無効、Ｂ系統のメインスピーカ選択信号ＳＳＥＬＢが有効で、かつモード切替信号ＭＳＥＬが有効の場合（ステップＳ９においてＹＥＳ）、リア信号ＲＬ，ＲＲ、センター信号Ｃ、サブウーハ信号ＬＦＥの各サラウンド信号の出力を停止する（ステップＳ１０）。さらに、ＤＳＰ３ａは、メイン信号Ｌ，Ｒに対して効果音の付加を行う（ステップＳ１１）。効果音が付加されたメイン信号Ｌ，Ｒは、それぞれパワーアンプ４−１，４−２により増幅され、メインスピーカ切替スイッチｓｐＢを通ってスピーカ出力端子５−６，５−７からＢ系統のメインスピーカＳＰ−ＢＬ，ＳＰ−ＢＲに供給される。
【００２１】
ここで、メイン信号Ｌ，Ｒに対する効果音付加処理の概念について説明する。２チャンネルのメインスピーカＳＰ−ＢＬ，ＳＰ−ＢＲで５．１チャンネルのマルチチャンネル音響再生を再現するには、リア信号ＲＬ，ＲＲ、センター信号Ｃおよびサブウーハ信号ＬＦＥをメイン信号Ｌ，Ｒに振り分けて供給することが必要となる。
【００２２】
センタースピーカＳＰ−Ｃ用の音声信号であるセンター信号Ｃは、Ｌ，Ｒの中間に定位すればよいので、メイン信号Ｌ，Ｒに振り分ければよく、サブウーハＳＰ−ＳＷ用のサブウーハ信号ＬＦＥも音像の定位が問題とならないことから、メイン信号Ｌ，Ｒに振り分ければよい。
【００２３】
一方、リア信号ＲＬ，ＲＲをメインスピーカＳＰ−ＢＬ，ＳＰ−ＢＲから出力し、その音像をそれぞれリアスピーカＳＰ−ＲＬ，ＳＰ−ＲＲの位置に定位させようとすると、音声信号の周波数特性や遅延時間を後方から聞こえてくる音の特性に変換する必要がある。すなわち、ユーザは、左右の耳に聞こえてくる音の時間差や周波数成分の違いによってその音の方向や距離などを推定するよう経験的に学習しており、リア信号ＲＬ，ＲＲをメインスピーカＳＰ−ＢＬ，ＳＰ−ＢＲから出力し、かつ後方から音が聞こえているように音像を定位させる、所謂バーチャルスピーカを実現する場合には、リア信号ＲＬ，ＲＲを実際にリアスピーカＳＰ−ＲＬ，ＳＰ−ＲＲから出力したときユーザに伝達される時間差や周波数成分を有するように加工して、メインスピーカＳＰ−ＢＬ，ＳＰ−ＢＲに供給する必要がある。
【００２４】
以下、効果音付加処理の詳細について説明する。図３はメイン信号Ｌ，Ｒに対するＤＳＰ３ａの効果音付加処理の１例を示す図である。なお、図３はＤＳＰ３ａの処理を図形化したものであって、必ずしもＤＳＰ３ａの実際の構成を示すものではない。センター信号Ｃは、加算回路３０１により分割されて、メイン信号Ｌ，Ｒに加算される。同様に、サブウーハ信号ＬＦＥは、加算回路３０２により分割されて、メイン信号Ｌ，Ｒに加算される。
【００２５】
フィルタ３０３には、リアスピーカＳＰ−ＲＬからユーザの左耳までの音響特性である頭部伝達関数をユーザの頭部形状の標準モデルを用いてシミュレートしたフィルタ係数が予め設定されている。これにより、リア信号ＲＬは、リアスピーカＳＰ−ＲＬから出力されてユーザの左耳に到達するときの周波数特性や遅延時間を有するようにフィルタ３０３でフィルタ処理される。フィルタ３０４には、リアスピーカＳＰ−ＲＬからユーザの右耳までの音響の特性である頭部伝達関数を前記標準モデルを用いてシミュレートしたフィルタ係数が予め設定されている。これにより、リア信号ＲＬは、リアスピーカＳＰ−ＲＬから出力されてユーザの右耳に到達するときの周波数特性や遅延時間を有するようにフィルタ３０４でフィルタ処理される。フィルタ３０５には、リアスピーカＳＰ−ＲＲからユーザの右耳までの音響特性である頭部伝達関数を前記標準モデルを用いてシミュレートしたフィルタ係数が予め設定されている。これにより、リア信号ＲＲは、リアスピーカＳＰ−ＲＲから出力されてユーザの右耳に到達するときの周波数特性や遅延時間を有するようにフィルタ３０５でフィルタ処理される。そして、フィルタ３０６には、リアスピーカＳＰ−ＲＲからユーザの左耳までの音響の特性である頭部伝達関数を前記標準モデルを用いてシミュレートしたフィルタ係数が予め設定されている。これにより、リア信号ＲＲは、リアスピーカＳＰ−ＲＲから出力されてユーザの左耳に到達するときの周波数特性や遅延時間を有するようにフィルタ３０６でフィルタ処理される。
【００２６】
フィルタ３０３でフィルタ処理されたリア信号ＲＬとフィルタ３０６でフィルタ処理されたリア信号ＲＲは、アダー３０７によって加算され、クロストークキャンセル回路３０９でクロストーク成分が除去された後、アダー３１０によってメイン信号Ｌに加算される。また、フィルタ３０５でフィルタ処理されたリア信号ＲＲとフィルタ３０４でフィルタ処理されたリア信号ＲＬは、アダー３０８によって加算され、クロストークキャンセル回路３０９でクロストーク成分が除去された後、アダー３１１によってメイン信号Ｒに加算される。
【００２７】
ＤＳＰ３ａは、以上のように効果音を付加したメイン信号Ｌ，Ｒを出力する。ＤＳＰ３ａから出力されたメイン信号Ｌ，Ｒは、それぞれパワーアンプ４−１，４−２を経由してメインスピーカＳＰ−ＢＬ，ＳＰ−ＢＲに供給される。
【００２８】
以上のように、本実施の形態では、Ｂ系統のメインスピーカＳＰ−ＢＬ，ＳＰ−ＢＲが第２のゾーンＺｏｎｅＢに配置され、Ｂ系統のメインスピーカの使用モードが「ＺｏｎｅＢ」に設定され、Ａ系統のメインスピーカへの出力がオフで、Ｂ系統のメインスピーカへの出力がオンされた場合には、第１のゾーンＺｏｎｅＡへのリア信号ＲＬ，ＲＲ、センター信号Ｃ、サブウーハ信号ＬＦＥの各サラウンド信号の供給を停止するようにしたので、第１のゾーンＺｏｎｅＡで不要なサラウンド信号が再生されることを防止することができる。また、メイン信号Ｌ，Ｒに対して効果音を付加することにより、第２のゾーンＺｏｎｅＢの２チャンネルのメインスピーカＳＰ−ＢＬ，ＳＰ−ＢＲでマルチチャンネル音響再生の臨場感を再現することができる。
【００２９】
［ｓｐＡがオン、ｓｐＢがオンの場合］
音響再生装置の制御部８は、メインスピーカ選択ボタンの「Ａ」，「Ｂ」が共に押下された場合（ステップＳ１においてＹＥＳ、ステップＳ６においてＹＥＳ）、メインスピーカ選択信号ＳＳＥＬＡ，ＳＳＥＬＢを共に有効にする（ステップＳ１３）。メインスピーカ選択信号ＳＳＥＬＡ，ＳＳＥＬＢが有効の場合、メインスピーカ切替スイッチｓｐＡ，ｓｐＢがオンとなる（ステップＳ１４）。ＤＳＰ３ａは、メイン信号Ｌ，Ｒ、リア信号ＲＬ，ＲＲ、センター信号Ｃ、サブウーハ信号ＬＦＥをそのまま出力する（ステップＳ１５）。これにより、Ａ系統のメインスピーカＳＰ−ＡＬ，ＳＰ−ＡＲとリアスピーカＳＰ−ＲＬ，ＳＰ−ＲＲ、センタースピーカＳＰ−Ｃ、サブウーハＳＰ−ＳＷとを使って第１のゾーンＺｏｎｅＡで５．１チャンネル音響再生が行われると同時に、Ｂ系統のメインスピーカＳＰ−ＢＬ，ＳＰ−ＢＲを使って第２のゾーンＺｏｎｅＢで２チャンネル音響再生が行われる。
【００３０】
［ｓｐＡがオフ、ｓｐＢがオフの場合］
音響再生装置の制御部８は、メインスピーカ選択ボタンの「Ａ」，「Ｂ」が共に押下されない場合（ステップＳ１においてＮＯ、ステップＳ２においてＮＯ）、メインスピーカ選択信号ＳＳＥＬＡ，ＳＳＥＬＢを共に無効にする。そのため、メインスピーカ切替スイッチｓｐＡ，ｓｐＢがオフになり、音声は出力されない。
【００３１】
以上でＢ系統のメインスピーカが第２のゾーンＺｏｎｅＢに配置された場合を説明した。なお、Ｂ系統のメインスピーカＳＰ−ＢＬ，ＳＰ−ＢＲをＡ系統のメインスピーカＳＰ−ＡＬ，ＳＰ−ＡＲと一緒に第１のゾーンＺｏｎｅＡに配置してもよいことは言うまでもない。この場合には、前述のように、Ｂ系統のメインスピーカの使用モードを「ＭＡＩＮ」にする。Ｂ系統のメインスピーカの使用モードが「ＭＡＩＮ」に設定された場合、ＤＳＰ３ａは、Ｂ系統のメインスピーカの配置場所に関係なく、メイン信号Ｌ，Ｒ、リア信号ＲＬ，ＲＲ、センター信号Ｃ、サブウーハ信号ＬＦＥをそのまま出力する。したがって、Ａ系統とＢ系統のメインスピーカを同時に使用する場合の動作は、Ｂ系統のスピーカＳＰ−ＢＬ，ＳＰ−ＢＲが第１のゾーンＺｏｎｅＡに配置されている点を除いて、前述のステップＳ１３〜Ｓ１５と同じである。
【００３２】
一方、Ｂ系統のメインスピーカの使用モードが「ＭＡＩＮ」に設定され、メインスピーカ選択ボタンの「Ｂ」のみが押下された場合には、図２のステップＳ９において判定ＮＯとなり、メイン信号Ｌ，Ｒ、リア信号ＲＬ，ＲＲ、センター信号Ｃ、サブウーハ信号ＬＦＥがそれぞれメインスピーカＳＰ−ＢＬ，ＳＰ−ＢＲ、リアスピーカＳＰ−ＲＬ，ＳＰ−ＲＲ、センタースピーカＳＰ−Ｃ、サブウーハＳＰ−ＳＷに供給される（ステップＳ１２）。
【００３３】
［第２の実施の形態］
図４は本発明の第２の実施の形態となる音響再生装置の構成を示すブロック図であり、図１と同一の構成には同一の符号を付してある。本実施の形態では、６．１チャンネル音響再生を行う装置について説明する。ＤＳＰ３ｂは、入力されたデジタル音声信号ＤＩＮからメイン信号Ｌ，Ｒ、リア信号ＲＬ，ＲＲ、センター信号Ｃ、サブウーハ信号ＬＦＥ、リアセンター信号ＲＣ（後中央）の各アナログ音声信号を生成する。ＤＳＰ３ｂがオフ（又はダウンミックス）に設定されている場合には、メイン信号Ｌ，Ｒが出力され、ＤＳＰ３ｂがオンに設定されている場合には、メイン信号Ｌ，Ｒ、リア信号ＲＬ，ＲＲ、センター信号Ｃ、サブウーハ信号ＬＦＥ、リアセンター信号ＲＣが出力される。
【００３４】
図５に、図４の音響再生装置を用いる場合の第１のゾーンＺｏｎｅＡと第２のゾーンＺｏｎｅＢのスピーカ配置を示す。本実施の形態では、図１１で説明した第１のゾーンＺｏｎｅＡのスピーカ配置にリアセンタースピーカＳＰ−ＲＣを追加している。スピーカ出力端子５−８は、リアセンタースピーカＳＰ−ＲＣと接続される。
【００３５】
メインスピーカを切り替える場合の音響再生装置の動作は、第１の実施の形態とほぼ同様であるので、図２を参照して本実施の形態の動作を説明する。以下の説明では、Ａ系統のメインスピーカＳＰ−ＡＬ，ＳＰ−ＡＲが第１のゾーンＺｏｎｅＡに配置され、Ｂ系統のメインスピーカＳＰ−ＢＬ，ＳＰ−ＢＲが第２のゾーンＺｏｎｅＢに配置され、ＤＳＰ３ｂがオンに設定されていることを前提として説明する。
【００３６】
メインスピーカ選択ボタンの「Ａ」が押下され、メインスピーカ選択ボタンの「Ｂ」が押下されていない場合（図２ステップＳ１においてＮＯ、ステップＳ２においてＹＥＳ）、メインスピーカ選択信号ＳＳＥＬＡが有効、メインスピーカ選択信号ＳＳＥＬＢが無効となり（ステップＳ３）、Ａ系統のメインスピーカ切替スイッチｓｐＡがオンとなり、Ｂ系統のメインスピーカ切替スイッチｓｐＢがオフとなる（ステップＳ４）。ＤＳＰ３ｂは、メイン信号Ｌ，Ｒ、リア信号ＲＬ，ＲＲ、センター信号Ｃ、サブウーハ信号ＬＦＥ、リアセンター信号ＲＣを出力する（ステップＳ５）。ＤＳＰ３ｂから出力されるメイン信号Ｌ，Ｒ、リア信号ＲＬ，ＲＲ、センター信号Ｃ、サブウーハ信号ＬＦＥの処理は、第１の実施の形態と同じである。ＤＳＰ３ｂから出力されたリアセンター信号ＲＣは、パワーアンプ４−６により増幅され、スピーカ出力端子５−８から出力される。こうして、第１のゾーンＺｏｎｅＡで６．１チャンネル音響再生が行われる。
【００３７】
一方、メインスピーカ選択ボタンの「Ｂ」が押下され、メインスピーカ選択ボタンの「Ａ」が押下されていない場合（ステップＳ１においてＹＥＳ、ステップＳ６においてＮＯ）、メインスピーカ選択信号ＳＳＥＬＡが無効、メインスピーカ選択信号ＳＳＥＬＢが有効となり（ステップＳ７）、Ａ系統のメインスピーカ切替スイッチｓｐＡがオフ、Ｂ系統のメインスピーカ切替スイッチｓｐＢがオンとなる（ステップＳ８）。ＤＳＰ３ｂは、Ａ系統のメインスピーカ選択信号ＳＳＥＬＡが無効、Ｂ系統のメインスピーカ選択信号ＳＳＥＬＢが有効で、かつモード切替信号ＭＳＥＬが有効の場合（ステップＳ９においてＹＥＳ）、リア信号ＲＬ，ＲＲ、センター信号Ｃ、サブウーハ信号ＬＦＥ、リアセンター信号ＲＣの各サラウンド信号の出力を停止し（ステップＳ１０）、メイン信号Ｌ，Ｒに対して効果音の付加を行う（ステップＳ１１）。
【００３８】
このときの効果音付加処理は、第１の実施の形態の効果音付加処理に加えて、リアセンタースピーカＳＰ−ＲＣからユーザに到達するときの時間差や周波数成分を有するようにリアセンター信号ＲＣを加工して、メインスピーカＳＰ−ＢＬ，ＳＰ−ＢＲに供給すればよい。
【００３９】
図６はメイン信号Ｌ，Ｒに対するＤＳＰ３ｂの効果音付加処理の１例を示す図であり、図３と同一の処理には同一の符号を付してある。リアセンター信号ＲＣは、リア信号ＲＬ，ＲＲの中間に定位すればよいので、フィルタ処理前のリア信号ＲＬ，ＲＲに振り分ければよい。すなわち、リアセンター信号ＲＣは、加算回路３１２によって分割されて、フィルタ処理前のリア信号ＲＬ，ＲＲに加算される。リア信号ＲＬ，ＲＲ、センター信号Ｃ、サブウーハ信号ＬＦＥの処理は第１の実施の形態と同じである。ＤＳＰ３ｂは、以上のように効果音を付加したメイン信号Ｌ，Ｒを出力する。こうして、第２のゾーンＺｏｎｅＢの２チャンネルのメインスピーカＳＰ−ＢＬ，ＳＰ−ＢＲでマルチチャンネル音響再生の臨場感を再現することができる。
【００４０】
以上の説明では、Ａ系統又はＢ系統のいずれか一方のメインスピーカを使用する場合について説明したが、第１の実施の形態と同様に、Ａ系統とＢ系統のメインスピーカを同時に使用することも可能である。
【００４１】
［第３の実施の形態］
図７は本発明の第３の実施の形態となる音響再生装置の構成を示すブロック図であり、図４と同一の構成には同一の符号を付してある。本実施の形態では、８．１チャンネル音響再生を行う装置について説明する。ＤＳＰ３ｃは、入力されたデジタル音声信号ＤＩＮからメイン信号Ｌ，Ｒ、リア信号ＲＬ，ＲＲ、センター信号Ｃ、サブウーハ信号ＬＦＥ、リアセンター信号ＲＣ、フロント信号ＦＬ（前左），ＦＲ（前右）の各アナログ音声信号を生成する。
【００４２】
ＤＳＰ３ｃがオフ（又はダウンミックス）に設定されている場合には、メイン信号Ｌ，Ｒが出力され、ＤＳＰ３ｃがオンに設定されている場合には、メイン信号Ｌ，Ｒ、リア信号ＲＬ，ＲＲ、センター信号Ｃ、サブウーハ信号ＬＦＥ、リアセンター信号ＲＣ、フロント信号ＦＬ，ＦＲが出力される。
【００４３】
図８に、図７の音響再生装置を用いる場合の第１のゾーンＺｏｎｅＡと第２のゾーンＺｏｎｅＢのスピーカ配置を示す。本実施の形態では、図５で説明した第２の実施の形態の第１のゾーンＺｏｎｅＡのスピーカ配置にフロントスピーカＳＰ−ＦＬ，ＳＰ−ＦＲを追加している。スピーカ出力端子５−９，５−１０は、それぞれフロントスピーカＳＰ−ＦＬ，ＳＰ−ＦＲと接続されている。このとき、Ａ，Ｂ２つの系統のメインスピーカは、それぞれ異なるゾーンに配置されているので、モード切替信号ＭＳＥＬは有効とされる。
【００４４】
メインスピーカを切り替える場合の音響再生装置の動作は、第１の実施の形態とほぼ同様であるので、図２を参照して本実施の形態の動作を説明する。以下の説明では、Ａ系統のメインスピーカＳＰ−ＡＬ，ＳＰ−ＡＲが第１のゾーンＺｏｎｅＡに配置され、Ｂ系統のメインスピーカＳＰ−ＢＬ，ＳＰ−ＢＲが第２のゾーンＺｏｎｅＢに配置され、ＤＳＰ３ｃがオンに設定されていることを前提として説明する。
【００４５】
メインスピーカ選択ボタンの「Ａ」が押下され、メインスピーカ選択ボタンの「Ｂ」が押下されていない場合（図２ステップＳ１においてＮＯ、ステップＳ２においてＹＥＳ）、メインスピーカ選択信号ＳＳＥＬＡが有効、メインスピーカ選択信号ＳＳＥＬＢが無効となり（ステップＳ３）、Ａ系統のメインスピーカ切替スイッチｓｐＡがオンとなり、Ｂ系統のメインスピーカ切替スイッチｓｐＢがオフとなる（ステップＳ４）。ＤＳＰ３ｃは、メイン信号Ｌ，Ｒ、リア信号ＲＬ，ＲＲ、センター信号Ｃ、サブウーハ信号ＬＦＥ、リアセンター信号ＲＣ、フロント信号ＦＬ，ＦＲを出力する（ステップＳ５）。ＤＳＰ３ｃから出力されるメイン信号Ｌ，Ｒ、リア信号ＲＬ，ＲＲ、センター信号Ｃ、サブウーハ信号ＬＦＥ、リアセンター信号ＲＣの処理は、第２の実施の形態と同じである。ＤＳＰ３ｃから出力されたフロント信号ＦＬ，ＦＲは、それぞれパワーアンプ４−７，４−８により増幅され、スピーカ出力端子５−９，５−１０から出力される。こうして、第１のゾーンＺｏｎｅＡで８．１チャンネル音響再生が行われる。
【００４６】
一方、メインスピーカ選択ボタンの「Ｂ」が押下され、メインスピーカ選択ボタンの「Ａ」が押下されていない場合（ステップＳ１においてＹＥＳ、ステップＳ６においてＮＯ）、メインスピーカ選択信号ＳＳＥＬＡが無効、メインスピーカ選択信号ＳＳＥＬＢが有効となり（ステップＳ７）、Ａ系統のメインスピーカ切替スイッチｓｐＡがオフ、Ｂ系統のメインスピーカ切替スイッチｓｐＢがオンとなる（ステップＳ８）。ＤＳＰ３ｃは、Ａ系統のメインスピーカ選択信号ＳＳＥＬＡが無効、Ｂ系統のメインスピーカ選択信号ＳＳＥＬＢが有効で、かつモード切替信号ＭＳＥＬが有効の場合（ステップＳ９においてＹＥＳ）、リア信号ＲＬ，ＲＲ、センター信号Ｃ、サブウーハ信号ＬＦＥ、リアセンター信号ＲＣ、フロント信号ＦＬ，ＦＲの各サラウンド信号の出力を停止し（ステップＳ１０）、メイン信号Ｌ，Ｒに対して効果音の付加を行う（ステップＳ１１）。
【００４７】
このときの効果音付加処理は、第２の実施の形態の効果音付加処理に加えて、フロント信号ＦＬ，ＦＲをそれぞれメイン信号Ｌ，Ｒに加算すればよい。図９はメイン信号Ｌ，Ｒに対するＤＳＰ３ｃの効果音付加処理の１例を示す図であり、図６と同一の処理には同一の符号を付してある。リア信号ＲＬ，ＲＲ、センター信号Ｃ、サブウーハ信号ＬＦＥ、リアセンター信号ＲＣの処理は第２の実施の形態と同じである。
【００４８】
フロント信号ＦＬは、加算回路３１４によりメイン信号Ｌに加算され、フロント信号ＦＲは、加算回路３１５によりメイン信号Ｒに加算される。ＤＳＰ３ｃは、以上のように効果音を付加したメイン信号Ｌ，Ｒを出力する。こうして、第２のゾーンＺｏｎｅＢの２チャンネルのメインスピーカＳＰ−ＢＬ，ＳＰ−ＢＲでマルチチャンネル音響再生の臨場感を再現することができる。
【００４９】
以上の説明では、Ａ系統又はＢ系統のいずれか一方のメインスピーカを使用する場合について説明したが、第１の実施の形態と同様に、Ａ系統とＢ系統のメインスピーカを同時に使用することも可能である。
【００５０】
【発明の効果】
本発明によれば、音響再生装置にモード設定手段を設けることにより、第１のスピーカ出力端子に接続されたスピーカと第２のスピーカ出力端子に接続されたスピーカとを第１のゾーンに配置して使用する第１のモードと、第１のスピーカ出力端子に接続されたスピーカを第１のゾーンに配置し第２のスピーカ出力端子に接続されたスピーカを第２のゾーンに配置して使用する第２のモードの２つのモードのうちいずれか一方の使用方法を設定することができるので、第２のスピーカ出力端子に接続されたスピーカの使用方法に応じた最適な音響再生の実現が可能になる。そして、第１のスピーカ出力端子への出力がオフで、第２のスピーカ出力端子への出力がオン、かつ第２のモードが選択された場合は、ＤＳＰがサラウンド信号の出力を停止するようにしたので、第１のゾーンで不要なサラウンド信号が再生されることを防止することができる。
【００５１】
また、第１のスピーカ出力端子への出力がオフで、第２のスピーカ出力端子への出力がオン、かつ第２のモードが選択された場合は、ＤＳＰでメイン信号に対して効果音を付加するようにしたので、リア信号の音像を聴取者の後方に定位させる所謂バーチャルスピーカを実現することができ、２チャンネルのメインスピーカでマルチチャンネル音響再生の臨場感を再現することができる。
【図面の簡単な説明】
【図１】本発明の第１の実施の形態となる音響再生装置の構成を示すブロック図である。
【図２】本発明の第１の実施の形態においてメインスピーカを切り替える場合の音響再生装置の動作を示すフローチャート図である。
【図３】本発明の第１の実施の形態におけるＤＳＰの効果音付加処理の１例を示す図である。
【図４】本発明の第２の実施の形態となる音響再生装置の構成を示すブロック図である。
【図５】本発明の第２の実施の形態における第１のゾーンと第２のゾーンのスピーカ配置を示す平面図である。
【図６】本発明の第２の実施の形態におけるＤＳＰの効果音付加処理の１例を示す図である。
【図７】本発明の第３の実施の形態となる音響再生装置の構成を示すブロック図である。
【図８】本発明の第３の実施の形態における第１のゾーンと第２のゾーンのスピーカ配置を示す平面図である。
【図９】本発明の第３の実施の形態におけるＤＳＰの効果音付加処理の１例を示す図である。
【図１０】従来の音響再生装置の構成を示すブロック図である。
【図１１】マルチチャンネル音響再生を行う第１のゾーンと２チャンネル音響再生を行う第２のゾーンのスピーカ配置を示す平面図である。
【符号の説明】
１…入力端子、２…Ａ／Ｄ変換器、３ａ、３ｂ、３ｃ…ＤＳＰ、４…パワーアンプ、５…スピーカ出力端子、６…メインスピーカ切替スイッチ、７…サブウーハ出力端子、８…制御部。
【図１】
2004056418.tif 000003
【図２】
2004056418.tif 000004
【図３】
2004056418.tif 000005
【図４】
2004056418.tif 000006
【図５】
2004056418.tif 000007
【図６】
2004056418.tif 000008
【図７】
2004056418.tif 000009
【図８】
2004056418.tif 000010
【図９】
2004056418.tif 000011
【図１０】
2004056418.tif 000012
【図１１】
2004056418.tif 000013